(57)【要約】【課題】代替の自動取引装置を容易に探すことができ、即座に所望の取引を行う。【解決手段】写真自動販売装置１０では、予め周辺装置の設置位置情報及び機能情報が記憶されている記憶部１６からＣＰＵ１１により周辺装置の設置位置情報及び機能情報が取得される。そして、表示部１３に地図画像が表示されると、取得された設置位置情報及び機能情報に基づいて地図上の対応する位置に周辺装置の機能に応じたマークが表示される。また、操作部１２を介してユーザの携帯端末のメールアドレスが入力されると、通信部１４のＰＨＳ端末１４ａを介して当該メールアドレスに周辺装置の設置位置情報を含む電子メールが送信される。【選択図】図２
2005148912.tif 000002
【特許請求の範囲】
【請求項１】
ユーザとの間で自動取引が可能に構成された自動取引装置において、
当該自動取引装置において取引が実行できるか否かを判別する判別手段と、
前記判別手段により取引が実行できないと判別された場合に、当該取引が可能な他の自動取引装置の設置位置情報を取得する取得手段と、
前記取得手段により取得された設置位置情報をユーザに通知する通知手段と、
を備えることを特徴とする自動取引装置。
【請求項２】
ユーザが携帯する携帯端末とデータの送受信を行う通信手段を備え、
前記通知手段は、他の自動取引装置の設置位置情報を前記通信手段によりユーザの携帯端末に送信させて通知することを特徴とする請求項１に記載の自動取引装置。
【請求項３】
地図画像を表示する表示手段を備え、
前記通知手段は、他の自動取引装置の設置位置情報を前記表示手段に表示された地図上に表示することを特徴とする請求項１に記載の自動取引装置。
【請求項４】
前記通知手段は、他の自動取引装置の設置位置情報とともにその自動取引装置の機能情報を取得し、
前記表示手段は、他の自動取引装置の設置位置を示すマーク情報を地図上に表示するとともに、当該自動取引装置の機能情報を表示することを特徴とする請求項３に記載の自動取引装置。
【請求項５】
他の自動取引装置の設置位置情報が予め記憶された記憶手段を備え、
前記通知手段は、前記記憶手段から他の自動取引装置の設置位置情報を取得して通知することを特徴とする請求項１〜４の何れか一項に記載の自動取引装置。
【請求項６】
各地点に設置され、ユーザとの間で自動取引が可能に構成された自動取引装置と、これらの自動取引装置を管理する管理サーバと、が通信ネットワークを介して接続された自動取引システムにおいて、
前記自動取引装置は、当該自動取引装置において取引が実行できない場合に、当該取引が可能な他の自動取引装置の設置位置情報をユーザに通知する通知手段を備えることを特徴とする自動取引システム。
【請求項７】
前記サーバにおいて、
各地点に設置された自動取引装置の設置位置情報を更新可能に記憶する記憶手段と、
何れかの自動取引装置において設置位置が変更されると、前記記憶手段において更新された設置位置情報を各自動取引装置に送信する通信手段と、を備え、
前記自動取引装置において、
前記記憶手段は、前記サーバから送信された設置位置情報に基づいて、他の自動取引装置の設置位置情報を更新記憶し、
前記通知手段は、前記記憶手段に更新記憶された他の自動取引装置の設置位置情報をユーザに通知することを特徴とする請求項６に記載の自動取引システム。
【請求項８】
ユーザとの間で自動取引が可能に構成された自動取引装置に搭載されたコンピュータに、
当該自動取引装置において取引が実行できるか否かを判別する機能と、
この判別にて取引が実行できないと判別された場合に、当該取引が可能な他の自動取引装置の設置位置情報を取得する機能と、
この取得された設置位置情報をユーザに通知する機能と、
を実現させるためのプログラム。
【発明の詳細な説明】
【技術分野】
【０００１】
本発明は、顧客との取引を自動で行う自動取引装置、自動取引システム及びプログラムに関する。
【背景技術】
【０００２】
従来から、顧客と自動で取引をして飲料等を販売する自動販売機や、メモリーカード等の記録媒体から読み込まれた画像を印刷して販売するプリントベンダーと呼ばれる写真自動販売装置、金融機関における現金の引き出し、預け入れ、振り込み等の取引を行うＡＴＭ（Automatic Teller Machine）、ＣＤ（Cash Dispenser）等の顧客との取引を自動で行う自動取引装置が街頭や建物内に設置され、普及している。
【０００３】
このような自動取引装置は無人の場所に設置されることが多い。そのため、故障や消耗品切れ等により使用不能になっていないか、メンテナンスの係員が定期的に点検していたが、近年ではメンテナンス効率を向上させるために、使用不能になったか否かを自動判別して使用不能になっていればメンテナンスの係員にメールでその旨を通知する自動販売機が開発されている（例えば、特許文献１参照）。
【特許文献１】特開２００３−０５８９３８号公報
【発明の開示】
【発明が解決しようとする課題】
【０００４】
しかしながら、故障等により使用不能になった場合、メンテナンスの係員が到着して修理を終えるまで顧客は自動取引装置を使用することができず、その修理が終わるのを待つか、或いは他の自動取引装置を適当に探し回らなければならかった。
【０００５】
本発明の課題は、代替の自動取引装置を容易に探すことができ、即座に所望の取引を行うことができる自動取引装置を提供することである。
【課題を解決するための手段】
【０００６】
請求項１に記載の発明は、
ユーザとの間で自動取引が可能に構成された自動取引装置において、
当該自動取引装置において取引が実行できるか否かを判別する判別手段と、
前記判別手段により取引が実行できないと判別された場合に、当該取引が可能な他の自動取引装置の設置位置情報を取得する取得手段と、
前記取得手段により取得された設置位置情報をユーザに通知する通知手段と、
を備えることを特徴とする自動取引装置。
【０００７】
請求項２に記載の発明は、請求項１に記載の自動取引装置において、
ユーザが携帯する携帯端末とデータの送受信を行う通信手段を備え、
前記通知手段は、他の自動取引装置の設置位置情報を前記通信手段によりユーザの携帯端末に送信させて通知することを特徴とする。
【０００８】
請求項３に記載の発明は、請求項１に記載の自動取引装置において、
地図画像を表示する表示手段を備え、
前記通知手段は、他の自動取引装置の設置位置情報を前記表示手段に表示された地図上に表示することを特徴とする。
【０００９】
請求項４に記載の発明は、請求項３に記載の自動取引装置において、
前記通知手段は、他の自動取引装置の設置位置情報とともにその自動取引装置の機能情報を取得し、
前記表示手段は、他の自動取引装置の設置位置を示すマーク情報を地図上に表示するとともに、当該自動取引装置の機能情報を表示することを特徴とする。
【００１０】
請求項５に記載の発明は、請求項１〜４の何れか一項に記載の自動取引装置において、
他の自動取引装置の設置位置情報が予め記憶された記憶手段を備え、
前記通知手段は、前記記憶手段から他の自動取引装置の設置位置情報を取得して通知することを特徴とする。
【００１１】
請求項６に記載の発明によれば、自動取引システムにおいて、
各地点に設置され、ユーザとの間で自動取引が可能に構成された自動取引装置と、これらの自動取引装置を管理する管理サーバと、が通信ネットワークを介して接続された自動取引システムにおいて、
前記自動取引装置は、当該自動取引装置において取引が実行できない場合に、当該取引が可能な他の自動取引装置の設置位置情報をユーザに通知する通知手段を備えることを特徴とする。
【００１２】
請求項７に記載の発明は、請求項６に記載の自動取引システムにおいて、
前記サーバにおいて、
各地点に設置された自動取引装置の設置位置情報を更新可能に記憶する記憶手段と、
何れかの自動取引装置において設置位置が変更されると、前記記憶手段において更新された設置位置情報を各自動取引装置に送信する通信手段と、を備え、
前記自動取引装置において、
前記記憶手段は、前記サーバから送信された設置位置情報に基づいて、他の自動取引装置の設置位置情報を更新記憶し、
前記通知手段は、前記記憶手段に更新記憶された他の自動取引装置の設置位置情報をユーザに通知することを特徴とする。
【００１３】
請求項８に記載の発明は、
ユーザとの間で自動取引が可能に構成された自動取引装置に搭載されたコンピュータに、
当該自動取引装置において取引が実行できるか否かを判別する機能と、
この判別にて取引が実行できないと判別された場合に、当該取引が可能な他の自動取引装置の設置位置情報を取得する機能と、
この取得された設置位置情報をユーザに通知する機能とを実現するためのプログラムであることを特徴とする。
【発明の効果】
【００１４】
請求項１、８に記載の発明によれば、ユーザにより取引が実行できない場合に、その取引が可能な他の自動取引装置の設置位置情報を通知するので、ユーザは代替の自動取引装置の設置位置を容易に把握することができ、その代替の自動取引装置により希望の取引を即座に行うことができる。
【００１５】
請求項２に記載の発明によれば、他の自動取引装置の設置位置情報をユーザの携帯端末に送信して他の自動取引装置の設置位置を通知するので、ユーザは他の自動取引装置の設置位置まで移動する間においても、携帯端末により他の自動取引装置の設置位置を確認することができる。
【００１６】
請求項３に記載の発明によれば、地図上に他の自動取引装置の設置位置を表示することにより、他の自動取引装置の設置位置を通知するので、ユーザは地図上で他の自動取引装置がどこに位置するのかを容易に把握することができる。
【００１７】
請求項４に記載の発明によれば、他の自動取引装置の設置位置情報とともにその機能情報を通知するので、他の自動取引装置で取引可能な機能を確認することができ、目的に応じて所望の取引を行うことができる代替の自動取引装置を選択することができる。
【００１８】
請求項５に記載の発明によれば、予め他の自動取引装置の設置位置情報が記憶された記憶手段から当該設置位置情報を取得して通知することができる。
【００１９】
請求項６に記載の発明によれば、ユーザにより取引が実行できない場合に、その取引が可能な他の自動取引装置の設置位置情報を通知するので、ユーザは代替の自動取引装置の設置位置を容易に把握することができ、その代替の自動取引装置により希望の取引を即座に行うことができる。
【００２０】
請求項７に記載の発明によれば、サーバにおいて各地点に設置された自動取引装置の設置位置情報を更新記憶し、自動取引装置においてサーバから送信されたその更新後の設置位置情報をユーザに通知するので、何れかの自動取引装置で設置位置に変更があった場合でも、常に新しい設置位置情報に更新することができる。従って、常に正確な設置位置情報をユーザに通知することができる。
【発明を実施するための最良の形態】
【００２１】
以下、本発明を、顧客との取引に応じて写真を自動印刷する写真自動販売装置に適用した例を説明するが、顧客との取引を行うのであれば飲料等の自動販売装置や、ＡＴＭ、ＣＤ等の他の自動取引装置にも適用可能である。
【００２２】
〈第１の実施の形態〉
第１の実施の形態では、予め周辺に設置された他の写真自動販売装置の設置位置情報を記憶しておき、写真自動販売装置が使用不能となった際に記憶された他の写真自動販売装置の設置位置情報に基づいて、地図上に他の写真自動販売装置の設置位置を示すマークを示した位置通知画面を表示手段に表示するとともに、指示に応じて他の写真自動販売装置の設置位置情報を通信手段によりユーザの携帯端末に送信することにより、ユーザに他の写真自動販売装置の設置位置を通知する例を説明する。
【００２３】
まず、構成を説明する。
図１に、第１実施形態における写真自動販売装置１０を示す。
図１に示すように、写真自動販売装置１０には、取引操作や印刷操作を行うためのタッチパネル１２ａ、他の地点に設置されたプリンタベンダーと通信するためのＰＨＳ（Personal Handy-phone System）端末１４ａ、印刷対象の画像データが記録された記録媒体を挿入するための挿入口１７ａ、印刷料金を入金又は返金するための料金入金口１９ａ、返金口１９ｂ、印刷された写真が排出される写真取出口１８ａ等が設けられている。
【００２４】
図２に、写真自動販売装置１０の内部構成を示す。
図２に示すように、写真自動販売装置１０は、ＣＰＵ（Central Processing Unit）１１、操作部１２、表示部１３、通信部１４、ＲＡＭ（Random Access Memory）１５、記憶部１６、記録媒体接続部１７、印刷部１８、料金精算部１９を備えて構成される。
【００２５】
ＣＰＵ１１は、記憶部１６に格納されるシステムプログラムの他、本発明に係るボタン表示処理プログラム（図７参照）、設置位置通知処理プログラム（図９参照）等をＲＡＭ１５に展開して、当該プログラムとの協働により処理動作を統括的に制御する。
【００２６】
ボタン表示処理では、写真自動販売装置１０が使用不能の状態であると判別されると、写真自動販売装置１０から例えば５００ｍ以内などの周辺地域に設置されている他の写真自動販売装置の設置位置を通知するよう指示するための設置位置通知ボタンを表示部１３に表示させる。以下、写真自動販売装置１０の周辺に設置されている他の写真自動販売装置と、写真自動販売装置１０とを区別するために、他の写真自動販売装置を以下、周辺装置という。
【００２７】
また、設置位置通知処理では、予め周辺装置の設置位置情報及び周辺装置が有する機能に関する情報（以下、機能情報という）が記憶部１６に記憶されていれば、その周辺装置の設置位置情報及び機能情報を取得する。そして、表示部１３に地図画像を表示させ、取得された設置位置情報及び機能情報に基づいて地図上の対応する位置に周辺装置の機能に応じたマークを表示させる。また、操作部１２を介してユーザの携帯端末のメールアドレスが入力されると、通信部１４のＰＨＳ端末１４ａを介して当該メールアドレスに周辺装置の設置位置情報を含む電子メール（以下、単にメールという。）を送信させる。すなわち、設置位置通知処理プログラムと、ＣＰＵ１１との協働により、判別手段、取得手段、通知手段を実現することができる。
【００２８】
操作部１２は、図１に示した、表示部１３と一体型に構成されるタッチパネル１２ａ等からなる操作手段であり、タッチ操作に応じた操作信号をＣＰＵ１１に出力する。
【００２９】
表示部１３は、ＬＣＤ（Liquid Crystal Display）等から構成される表示手段であり、ＣＰＵ１１の指示に従って、各種操作画面や記録媒体から読み出された印刷対象の画像データ等を表示する。
【００３０】
通信部１４は、図１に示したＰＨＳ端末１４ａや図示しないモデム等の通信用インターフェイスから構成される通信手段であり、ＰＨＳ端末１４ａを介して通信ネットワーク上の外部機器と相互にデータ通信を行う。例えば、写真自動販売装置１０の周辺地域に設置されている周辺装置の設置位置情報、プリント機能の情報等をユーザの携帯端末等に送信する。
【００３１】
ＲＡＭ１５は、ＣＰＵ１１によって実行される各種プログラム及びこれらプログラムに係るデータを一時的に記憶するワークエリアを形成する。
【００３２】
記憶部１６は、磁気的又は光学的記録媒体、若しくは半導体メモリで構成され、システムプログラムの他、ボタン表示処理プログラム、設置位置通知処理プログラム及び各プログラムで処理されたデータ等を記憶する。
【００３３】
また、記憶部１６は、写真自動販売装置１０の周辺装置の設置位置情報を格納するための周辺設置位置リスト１６１、周辺装置の機能情報を格納するための機能リスト１６２、地図の画像ファイルを格納するための地図リスト１６３、地図上に表示する表示マークに関する情報を格納するためのマークリスト１６４を備えた記憶手段である。
【００３４】
周辺設置位置リスト１６１には、図３に示すように、周辺装置のシリアル番号（例えば、“００１”等）、機種番号（例えば、“００９５０１５０”等）、設置位置（例えば、“朝日町１−３−１・・・”等）、写真自動販売装置１０と周辺装置との距離（例えば、“３５０ｍ”等）、周辺装置の設置位置を通知する際に使用する地図の地図番号（例えば、“００１”等）等の項目情報が対応付けて格納されている。
【００３５】
機能リスト１６２には、図４に示すように、周辺装置のシリアル番号（例えば、“００１”等）、地図上に周辺装置の設置位置を示す際に用いられる表示名（例えば、“Ａ”等）、その周辺装置の機能情報として、周辺装置が取引可能な印刷サービスを示すプリントタイプ（例えば、“フレーム合成プリント（１２８枚）”等。なお、括弧内の数字はプリント可能なプリント枚数を示す。）、１枚の印刷に要する印刷時間（例えば、“６秒”等）等の項目情報が対応付けて格納されている。
【００３６】
地図リスト１６３には、図５に示すように、各地図の画像ファイルに割り当てられた地図番号（例えば、“００１”等）、その地図番号に対応する地図の画像ファイル名（例えば、“全体地図”、“詳細地図１”等）が対応付けて格納されている。
【００３７】
マークリスト１６４には、図６に示すように、地図上に表示する表示マーク（例えば、“○”、“△”等）と、その表示マークが示す写真自動販売装置の機能（例えば、“○”の表示マークは、“印刷時間が１〜１０秒の写真自動販売装置”であることを示す。）の情報とが対応付けて格納されている。
【００３８】
記録媒体接続部１７は、例えばフラッシュメモリーカード、スマートメディアカード、メモリスティック、ＳＤ（Secure Digital）カード、ＰＣカード、フロッピー（登録商標）ディスク、ＣＤ−Ｒ（Compact Disk-Recordable）、ＭＯ（Magneto-Optic）等の可搬型の各種記録媒体に応じた挿入口１７ａを有し、当該挿入口１７ａに挿入された記録媒体とデータの入出力を行うためのインターフェイスである。
【００３９】
印刷部１８は、一又は複数のプリンタを備え、ＣＰＵ１１から入力されたプリントフォーマットに応じて変調した光ビームで感光材料（印画紙、シール等）を走査露光して潜像を形成し、この露光された感光材料に現像処理後、乾燥処理を施して写真の印刷を行う。そして、その印刷写真を写真取出口１８ａに排出する。
【００４０】
料金精算部１９は、操作部１２を介して指定されたプリントタイプ、プリント枚数に応じて印刷料金を算出する。また、料金入返金口１９ａを介して入金された金銭を識別してその入金額を計数し、その入金金額に基づいて返金額を算出して、返金額に相当する釣り銭を料金入返金口１９ａに排出する。このとき、算出された料金、入金額、返金額のデータをＣＰＵ１１に出力する。
【００４１】
次に、第１実施形態における動作について説明する。
まず、図７を参照して、写真自動販売装置１０が故障した等、使用不能になった際に実行されるボタン表示処理について説明する。
図７に示すボタン表示処理では、写真自動販売装置１０の各部において故障が発生した、或いは印刷部１８におけるプリント用紙等の消耗品が切れた等により、写真自動販売装置１０が使用不能になったか否かが判別される（ステップＳ１）。使用不能ではない場合（ステップＳ１；Ｎ）、本処理を終了する。
【００４２】
一方、写真自動販売装置１０が使用不能であると判別された場合（ステップＳ１；Ｙ）、図８に示すようなボタン表示画面ｄ１が表示部１３に表示され、このボタン表示画面ｄ１上に、準備中である旨を通知するメッセージｍ１とともに、写真自動販売装置１０の周辺地域に設置されている周辺装置の設置位置の表示を指示するための設置位置表示ボタンｋ１が表示され（ステップＳ２）、本処理を終了する。
【００４３】
ユーザは、周辺装置の設置位置を知りたい場合、ボタン表示画面ｄ１において設置位置表示ボタンｋ１を押下する。
【００４４】
次に、図９を参照して、設置位置表示ボタンｋ１の押下により写真自動販売装置１０において開始される設置位置通知処理について説明する。
図９に示す設置位置通知処理では、まず地図リスト１６３から全体地図の画像ファイルが取得されて、表示部１３に表示される（ステップ１１）。
【００４５】
次いで、周辺設置位置リスト１６１から周辺装置の設置位置情報が取得されるとともに、機能リスト１６２から周辺装置の機能情報が取得される（ステップＳ１２）。また、各周辺装置の表示名が機能リスト１６２から取得されるとともに、その周辺装置の機能に応じた表示マークの情報がマークリスト１６４から取得される。
【００４６】
次いで、取得された設置位置情報に基づいて、表示部１３に表示された全体地図上の対応する位置に、マークリスト１６４から取得された周辺装置の設置位置を示す表示マークが表示される（ステップＳ１３）。また、周辺装置の設置位置を示す全体地図とともに、その設置位置の所在地名及び周辺装置の機能情報がリスト化された周辺装置リストが表示される（ステップＳ１４）。
【００４７】
図１０に、その表示画面例を示す。
図１０に示すように、位置通知画面ｄ２では、画面上部に全体地図ｍ２が表示され、この全体地図ｍ２上に表示名Ａ、Ｂで示される周辺装置の設置位置が“○”、“△”、“★”の各表示マークで表示されている。全体地図ｍ２の下部には、周辺装置リストＲ１として表示名Ａ、Ｂに対応する周辺装置の設置位置の所在地名ｍ３、プリント機能ｍ４が表示されている。
【００４８】
そして、位置通知画面ｄ２において周辺装置の設置位置が示されると、図１０に示すように、画面下部には、設置位置をユーザの携帯端末に通知することを指示するための設置位置通知ボタンｋ２、処理を中止することを指示するための中止ボタンｋ３が表示される（ステップＳ１５）。ユーザは、携帯端末に周辺装置の設置位置に関する情報を送信してほしい場合、位置通知画面ｄ２において設置位置通知ボタンｋ２を押下し、ここで処理を終了したい場合は中止ボタンｋ３を押下する。
【００４９】
写真自動販売装置１０では、位置通知画面ｄ２において中止ボタンｋ３が押下されたか否かが判別される（ステップＳ１６）。中止ボタンｋ３が押下された場合は（ステップＳ１６；Ｙ）、本処理を終了し、中止ボタンｋ３が押下されていない場合は（ステップＳ１６；Ｎ）、設置位置通知ボタンｋ２が押下されたか否かが判別される（ステップＳ１７）。
【００５０】
設置位置通知ボタンｋ２が押下されていない場合は（ステップＳ１７；Ｎ）、ステップＳ１６の処理に戻り、設置位置通知ボタンｋ２が押下された場合は（ステップＳ１７；Ｙ）、図１１（ａ）に示すメールアドレス入力画面ｄ３が表示される（ステップＳ１８）。図１１（ａ）に示すように、メールアドレス入力画面ｄ３では、メールアドレスの入力領域ｍ５と、メールアドレスの文字、数字を入力するためのキー群ｋ４が表示される。
【００５１】
ユーザは、メールアドレス入力画面ｄ３において、キー群ｋ４を操作して入力領域ｍ５にユーザが所持する携帯端末のメールアドレスを入力し、入力が完了すると、画面下部に表示された決定ボタンｋ５を押下する。
【００５２】
メールアドレス入力画面ｄ３において、メールアドレスが入力されると、決定ボタンｋ５の押下が待機され、決定ボタンｋ５が押下されたか否かが判別される（ステップＳ１９）。そして、決定ボタンｋ５が押下されると（ステップＳ１９；Ｙ）、図１１（ｂ）に示す地図添付確認画面ｄ４が表示され、周辺装置の設置位置の情報に地図の画像ファイルを添付するか否かを問うメッセージｍ６が表示される。
【００５３】
次いで、地図添付確認画面ｄ４において地図の画像ファイルを添付することが選択されたか否かが判別され（ステップＳ２０）、地図の画像ファイルの添付が選択されなかった場合は（ステップＳ２０；Ｎ）、図１０の位置通知画面ｄ２において表示された周辺設置リストＲ１が書き込まれたメールが作成される。そして、通信部１４のＰＨＳ端末１４ａを介して当該メールがメールアドレス入力画面ｄ３で設定されたメールアドレスに送信されて（ステップＳ２１）、本処理を終了する。
【００５４】
一方、地図の画像ファイルの添付が選択された場合（ステップＳ２０；Ｙ）、図１０の位置通知画面ｄ２において表示された周辺設置リストＲ１が書き込まれたメールが作成される。そして、作成されたメールに地図の画像ファイルが添付されると、通信部１４のＰＨＳ端末１４ａを介して、メールアドレス入力画面ｄ３で設定されたメールアドレスに送信され（ステップＳ２２）、本処理を終了する。なお、メールに添付する地図の画像ファイルは携帯端末用に別途用意された画像ファイルであることとする。
【００５５】
以上のように、第１実施形態によれば、写真自動販売装置１０では、写真自動販売装置１０が使用不能となった場合、表示部１３に表示された地図上に周辺装置の設置位置を示すマークが表示されるので、ユーザは代替の周辺装置の設置位置を容易に把握することができ、その代替の周辺装置で即座に取引を行うことができる。
【００５６】
また、設置位置を示すマークとともに、その周辺装置の機能情報が表示されるので、ユーザは代替の周辺装置で受けられる印刷サービスの内容や印刷時間等を容易に把握することができ、用途に応じて代替の周辺装置を選択することができる。
【００５７】
さらに、設置位置を示すマークは、周辺装置が有する機能に応じた形状及び色で表示されるので、視覚的に各周辺装置の機能を把握することができる。
【００５８】
また、周辺装置の設置位置情報がユーザの携帯端末に送信されるので、ユーザは写真自動販売装置１０から離れて周辺装置の設置位置まで移動している間でも、携帯端末に送信された設置位置情報により設置位置を確認することができる。
【００５９】
なお、第１の実施形態における記述内容は、本発明を適用した写真自動販売装置の好適な一例であり、これに限定されるものではない。
【００６０】
例えば、上述した説明では、周辺装置の設置位置情報及び機能情報をメールによりユーザの携帯端末に送信することとしていたが、これに限らず、写真自動販売装置１０に携帯端末との接続ケーブルを備え、この接続ケーブルに接続された携帯端末に直接周辺装置の設置位置情報及び機能情報を送信することとしてもよい。
【００６１】
また、各地に設置された複数の写真自動販売装置１０の稼働状況や設置位置情報を提供するホームページ上から、周辺装置の設置位置情報を取得可能な構成とすることとしてもよい。
【００６２】
その他、第１の実施形態における写真自動販売装置１０及びサーバ２０の細部構成及び細部動作に関しても、本発明の趣旨を逸脱することのない範囲で適宜変更可能である。
【００６３】
〈第２の実施の形態〉
第２実施形態では、写真自動販売装置を、各地点に設置された複数の写真自動販売装置の設置位置情報を更新記憶するサーバと接続可能な構成とし、何れかの写真自動販売装置の設置位置に変更があった場合、サーバから更新後の設置位置情報を受信して周辺装置の設置位置情報を更新記憶することにより、常に正確な周辺装置の設置位置を通知する例を説明する。
【００６４】
まず、第２実施形態における写真自動販売装置の構成について説明するが、第２実施形態における写真自動販売装置は、第１実施形態における写真自動販売装置１０と同一構成であるので、同一構成部には同一の符号を付してその図示を省略し、異なる機能部分のみを説明する。
【００６５】
第２実施形態では、図１２に示すように、写真自動販売装置１０は、サーバ２０とＰＨＳ端末１４ａを介してデータ通信可能に接続されている。
【００６６】
サーバ２０は、各地点に設置された複数の写真自動販売装置を管理するものであり、図１３にその内部構成を示すように、制御部２１、ＲＡＭ２２、記憶部２３、ＰＨＳ端末２４ａを有する通信部２４を備えている。
【００６７】
制御部２１は、ＣＰＵ等から構成され、記憶部２３に格納されたシステムプログラムの他、リスト更新処理プログラム（図１５参照）をＲＡＭ２２に展開し、当該プログラムとの協働により処理動作を統括的に制御する。
【００６８】
ＲＡＭ２２は、制御部２１により実行される各種プログラム及びこれらプログラムに係るデータを一時的に記憶するワークエリアを形成する。
【００６９】
記憶部２３は、制御部２１で実行される各種処理プログラムを記憶する。
また、記憶部２３は、各地点に設置された複数の写真自動販売装置を管理するための管理テーブル２６１、地図の画像ファイルを格納する地図リストを備えた記憶手段である。
【００７０】
管理テーブル２６１には、各写真自動販売装置の設置位置情報及び機能情報が記憶され、図１４に示すように、管理対象の写真自動販売装置のシリアル番号、機種番号、設置位置、プリントタイプ、印刷時間、その写真自動販売装置の周辺地域に設置されている周辺装置のシリアル番号、周辺装置との距離、周辺装置の設置位置を示す地図の地図番号の各項目情報が対応付けて格納されている。
【００７１】
地図リストのデータ構成は、写真自動販売装置１０が備える地図リスト１６３（図５参照）と同様であるので図示しないが、地図番号とその地図の画像ファイルとが対応付けて格納される。ただし、写真自動販売装置１０の地図リスト１６３には、写真自動販売装置の周辺装置の設置位置を示すための地図の画像ファイルのみが格納されるが、サーバ２０の地図リストには、各地点に設置された写真自動販売装置それぞれの設置位置を示すための地図の画像ファイルが格納される。
【００７２】
通信部２４は、図１３に示したＰＨＳ端末２４ａや図示しないモデム等の通信用インターフェイスから構成される通信手段であり、ＰＨＳ端末２４ａを介して通信ネットワーク上の外部機器と相互にデータ通信を行う。例えば、設置位置が変更された写真自動販売装置１０について更新された周辺装置の設置位置情報、プリント機能の情報等をその写真自動販売装置１０の設置位置変更前後に係る周辺装置に送信する。
【００７３】
次に、第２実施形態における動作について説明する。
図１５は、サーバ２０と写真自動販売装置１０により実行されるリスト更新処理を説明するフローチャートである。説明の前提として、写真自動販売装置１０が新規設置された、撤去された又は移動された等の変更があったこととする。
【００７４】
サーバ２０では、写真自動販売装置１０の新規設置、撤去又は移動等の変更に伴って、管理テーブル２６１の更新が行われる（ステップＳ１０１）。例えば、写真自動販売装置１０が新規設置された場合は、管理テーブル２６１において新規設置された写真自動販売装置１０のシリアル番号、機種番号、周辺装置のシリアル番号等の設置位置情報及び機能情報が新規登録され、撤去された場合は管理テーブル２６１から撤去された写真自動販売装置１０の設置位置情報及び機能情報が削除される。また、移動された場合は、移動された写真自動販売装置１０の設置位置情報が移動後の新規設置位置に書き換えられるとともに、周辺装置のシリアル番号が新規設置位置に応じた周辺装置のシリアル番号に書き換えられる。
【００７５】
次いで、サーバ２０では、管理テーブル２６１において、写真自動販売装置１０の新規設置位置又は撤去位置に対応する周辺装置が検索され（ステップＳ１０２）、その周辺装置の存在が判別される（ステップＳ１０３）。例えば、新規設置位置の例えば５００ｍ内の周辺に位置する周辺装置、或いは撤去前に管理テーブル２６１においてその撤去位置の周辺に位置するとして登録されていた周辺装置が検索される。周辺装置が無い場合（ステップＳ１０３；Ｎ）、本処理を終了する。
【００７６】
一方、そのような周辺装置が有る場合（ステップＳ１０３；Ｙ）、その周辺装置に、周辺装置が備えている周辺設置位置リスト１６１の更新を要求する要求情報が送信される（ステップＳ１０４）。例えば、検索された周辺装置が、撤去位置に対応する周辺装置である場合には、その周辺装置において備えられている周辺設置位置リスト１６１から、撤去された写真自動販売装置１０の設置位置情報を削除するよう要求する要求情報が送信される。一方、検索された周辺装置が、新規設置位置に対応する周辺装置である場合には、新規に設置された写真自動販売装置１０のシリアル番号、機種番号、新規設置位置、周辺装置と新規に設置された写真自動販売装置１０との距離、地図番号等の設置位置情報、そしてその地図番号に応じた地図画像ファイルが周辺装置に送信される。周辺装置では、サーバ２０からの要求に応じて周辺設置位置リスト１６１が更新される（ステップＳ１０５）。
【００７７】
一方、サーバ２０では、検索された全ての周辺装置について更新が行われたか否かが判別される（ステップＳ１０６）。全ての周辺装置について更新が行われていない場合（ステップＳ１０６；Ｎ）、ステップＳ１０４の処理に戻って、まだ未更新の周辺装置に対して周辺設置リストの更新が繰り返される。全ての周辺装置について更新が終了した場合（ステップＳ１０６；Ｙ）、本処理をする。
【００７８】
第２の実施の形態においても、写真自動販売装置１０ではボタン表示処理、設置位置通知処理が実行されるが、各処理は第１実施形態で説明したボタン表示処理（図７参照）、設置位置通知処理（図９参照）と同様であるので、説明を省略する。
【００７９】
以上のように、第２実施形態によれば、各地点に設置された複数の写真自動販売装置１０の設置位置に変更があると、サーバ２０においてその設置位置情報が更新記憶され、変更前及び変更後の設置位置における周辺装置に対して、その周辺装置が有する周辺設置位置リスト１６１の更新が指示され、周辺装置ではその変更された写真自動販売装置１０の設置位置情報の新規登録、削除等の更新が行われるので、各地点に設置された複数の写真自動販売装置１０の何れかで設置位置に変更があった場合でも、各写真自動販売装置１０では、常にその周辺装置の設置位置情報を更新することができる。
【００８０】
従って、第１実施形態と同様に、写真自動販売装置１０が使用不能となり、ユーザに代替の周辺装置の設置位置を通知する場合、常に正確な周辺装置の設置位置を通知することができる。
【００８１】
また、設置位置の変更でメンテナンスの係員が更新を行う作業を省略することができ、メンテナンス効率が良い。
【００８２】
なお、第２の実施形態における記述内容は、本発明を適用した写真自動販売装置の好適な一例であり、これに限定されるものではない。
【００８３】
上述した説明では、サーバ２０において設置位置が変更された写真自動販売装置１０の更新が行われ、サーバ２０からの通知を受けて当該写真自動販売装置１０において周辺設置位置リスト１６１の更新が行われることとしたが、これに限らず、周辺装置から設置位置が変更された写真自動販売装置１０にその周辺装置の設置位置情報及び機能情報を通知して、写真自動販売装置１０内で新規の周辺設置位置リスト１６１を作成することとしてもよい。
【００８４】
また、設置位置が変更された写真自動販売装置１０からサーバ２０にアクセスしてその設置位置の周辺地域に存在する周辺装置について問い合わせて、周辺装置の設置位置情報及び機能情報を取得し、写真自動販売装置１０内で新規の周辺設置位置リスト１６１を作成することとしてもよい。
【００８５】
その他、第２の実施形態における写真自動販売装置１０及びサーバ２０の細部構成及び細部動作に関しても、本発明の趣旨を逸脱することのない範囲で適宜変更可能である。
【図面の簡単な説明】
【００８６】
【図１】本発明を適用した第１実施形態における写真自動販売装置１０を示す図である。
【図２】写真自動販売装置１０の内部構成を示す図である。
【図３】周辺設置位置リスト１６１のデータ構成例を示す図である。
【図４】機能リスト１６２のデータ構成例を示す図である。
【図５】地図リスト１６３のデータ構成例を示す図である。
【図６】マークリスト１６４のデータ構成例を示す図である。
【図７】写真自動販売装置１０により実行されるボタン表示処理を説明するフローチャートである。
【図８】ボタン表示画面ｄ１を示す図である。
【図９】写真自動販売装置１０により実行される設置位置通知処理を説明するフローチャートである。
【図１０】位置通知画面ｄ２を示す図である。
【図１１】（ａ）メールアドレス入力画面ｄ３を示す図である。（ｂ）地図添付確認画面ｄ４を示す図である。
【図１２】第２実施形態における写真自動販売装置１０と、複数の写真自動販売装置１０を関するサーバ２０とが接続されている図である。
【図１３】サーバ２０の内部構成を示す図である。
【図１４】管理テーブル２６１のデータ構成例を示す図である。
【図１５】サーバ２０と、写真自動販売装置１０とで実行されるリスト更新処理を説明するフローチャートである。
【符号の説明】
【００８７】
１０    写真自動販売装置
１１    ＣＰＵ
１２    操作部
１２ａ    タッチパネル
１３    表示部
１４    通信部
１４ａ    ＰＨＳ端末
１５    ＲＡＭ
１６    記憶部
１６１    周辺設置位置リスト
１６２    機能リスト
１６３    地図リスト
１６４    マークリスト
１７    印刷部
１８    料金精算部
２０    サーバ
２１    制御部
２２    ＲＡＭ
２３    記憶部
２４    通信部
２４ａ    ＰＨＳ端末
【図１】
2005148912.tif 000003
【図２】
2005148912.tif 000004
【図３】
2005148912.tif 000005
【図４】
2005148912.tif 000006
【図５】
2005148912.tif 000007
【図６】
2005148912.tif 000008
【図７】
2005148912.tif 000009
【図８】
2005148912.tif 000010
【図９】
2005148912.tif 000011
【図１０】
2005148912.tif 000012
【図１１】
2005148912.tif 000013
【図１２】
2005148912.tif 000014
【図１３】
2005148912.tif 000015
【図１４】
2005148912.tif 000016
【図１５】
2005148912.tif 000017